(57)【要約】【課題】  製品購入メーカが「化学物質の工程内不使用証明書」を求める手続きを効率化し、製品製造メーカにおける化学物質の使用状況の集計が可能な、化学物質管理システムを提供する。【解決手段】  薬品メーカサーバ２０１から、出荷した化学物質の情報を化学物質管理・認証機関の化学物質管理ＤＢ１３０に登録し、製品製造メーカのＰＣ端末３１０から、当該製品製造メーカで使用する化学物質の情報を化学物質管理ＤＢ１３０に登録する。製品購入メーカ４００では、ＰＣ端末４１０から管理サーバ１０１に、製品製造メーカ名と、化学物質名を指定して「化学物質の工程内不使用証明書」の発行を要求する。化学物質管理・認証機関の管理サーバ１０１は、化学物質管理ＤＢ１３０を検索して、当該製品製造メーカと指定された化学物質についての「化学物質の工程内不使用証明書」を生成して送信する。【選択図】  図１
2005208806.tif 000002
【特許請求の範囲】
【請求項１】
化学物質を製造販売する原材料及び薬品メーカのサーバと、化学物質を購入して使用する製品製造メーカ及び研究機関の端末と、前記製品製造メーカから化学物質を使用した製品を購入する製品購入メーカの端末と、化学物質に関する情報の管理と認証を行う化学物質管理・認証機関の管理サーバとが通信ネットワークで接続されて構成される化学物質管理システムであって、
前記化学物質を製造販売する原材料及び薬品メーカのサーバから、出荷した化学物質についての情報を前記化学物質管理・認証機関の管理サーバに送信する手段と、
前記製品製造メーカ及び研究機関の端末から、当該製品製造メーカ及び研究機関で使用する化学物質についての購入及び使用状況の情報を前記化学物質管理・認証機関の管理サーバに送信する手段と、
前記化学物質管理・認証機関の管理サーバが、前記原材料及び薬品メーカのサーバから受信した化学物質の出荷情報と、前記製品製造メーカ及び研究機関から受信した化学物質についての購入及び使用状況の情報を、化学物質管理ＤＢに登録する手段と、
前記化学物質管理・認証機関の管理サーバが、前記化学物質管理ＤＢに登録した化学物質についての情報を集計する手段と、
前記化学物質管理・認証機関の管理サーバが、前記化学物質についての集計結果の情報を、前記原材料及び薬品メーカのサーバと、前記製品製造メーカ及び研究機関の端末に提供する手段と、
前記化学物質管理・認証機関の管理サーバが、前記製品購入メーカの端末から、製品製造メーカ名と化学物質の指定情報とを含む化学物質の工程内不使用証明書の発行要求を受信する手段と、
前記化学物質管理・認証機関の管理サーバが、製品購入メーカからの化学物質の工程内不使用証明書の発行要求を基に、前記化学物質管理ＤＢを検索して、指定された製品製造メーカと指定化学物質についての化学物質の工程内不使用証明書を生成して送信する手段と
を備えることを特徴とする化学物質管理システム。
【請求項２】
前記製品製造メーカ及び研究機関が前記化学物質管理・認証機関の化学物質管理ＤＢに登録する化学物質の情報が、化学物質名、購入量、使用量及び廃棄量の情報であり、
前記化学物質管理・認証機関の管理サーバは、前記化学物質管理ＤＢに登録された情報を集計し、前記製品製造メーカ及び研究機関ごとに、また化学物質の種類ごとに在庫量を算出し、該在庫量の情報を前記製品製造メーカ及び研究機関に提供すること
を特徴とする請求項１に記載の化学物質管理システム。
【請求項３】
化学物質を製造販売する原材料及び薬品メーカのサーバと、化学物質を購入して使用する製品製造メーカ及び研究機関の端末と、前記製品製造メーカから化学物質を使用した製品を購入する製品購入メーカの端末と、化学物質に関する情報の管理と認証を行う化学物質管理・認証機関の管理サーバとが通信ネットワークで接続されて構成される化学物質管理システムにおける化学物質管理方法であって、
前記化学物質を製造販売する原材料及び薬品メーカのサーバから、出荷した化学物質についての情報を前記化学物質管理・認証機関の管理サーバに送信する手順と、
前記製品製造メーカ及び研究機関の端末から、当該製品製造メーカ及び研究機関で使用する化学物質についての購入及び使用状況の情報を前記化学物質管理・認証機関の管理サーバに送信する手順と、
前記化学物質管理・認証機関の管理サーバが、前記原材料及び薬品メーカのサーバから受信した化学物質の出荷情報と、前記製品製造メーカ及び研究機関から受信した化学物質についての購入及び使用状況の情報を、化学物質管理ＤＢに登録する手順と、
前記化学物質管理・認証機関の管理サーバが、前記化学物質管理ＤＢに登録した化学物質についての情報を集計する手順と、
前記化学物質管理・認証機関の管理サーバが、前記化学物質についての集計結果の情報を、前記原材料及び薬品メーカのサーバと、前記製品製造メーカ及び研究機関の端末に提供する手順と、
前記化学物質管理・認証機関の管理サーバが、前記製品購入メーカの端末から、製品製造メーカ名と化学物質の指定情報とを含む化学物質の工程内不使用証明書の発行要求を受信する手順と、
前記化学物質管理・認証機関の管理サーバが、製品購入メーカからの化学物質の工程内不使用証明書の発行要求を基に、前記化学物質管理ＤＢを検索して、指定された製品製造メーカと指定化学物質についての化学物質の工程内不使用証明書を生成して送信する手順と
を含むことを特徴とする化学物質管理方法。
【発明の詳細な説明】
【技術分野】
【０００１】
本発明は、各製品製造メーカ及び研究機関への化学物質の出入管理を行うと共に、原材料及び薬品メーカにおけるＳＣＭ（Supply Chain Management）システムを確立し、また第３者機関による工程内化学物質不使用証明書の発行を行う、化学物質管理システム、および化学物質管理方法に関する。
【背景技術】
【０００２】
昨今の地球環境への影響を問題視する観点から、原料や使用化学物質の購入・使用量・廃棄までの使用履歴を製品製造メーカや研究機関で把握する必要性が法律で定められるようになっている。
【０００３】
しかしながら、これら化学物質を管理するシステムは一般的に高額であり、採算面で見合わせるメーカや研究機関も少なくない。そのため手作業での管理も珍しくなく、化学物質の使用量の把握には多大な時間を費やしている。また、原料及び薬品メーカにおいても自社製品の在庫は、製品製造メーカ及び研究機関に製品が存在する時点での把握は不可能となっている。
【０００４】
さらに製品製造メーカでは、化学物質の工程内不使用証明等の提出を製品購入メーカから要求され、不使用証明書の保証まで含めた対応を製品購入メーカごとに行う必要があり、このための煩雑な作業が必要であった。
【０００５】
同様にして、製品購入メーカにおいても、製品製造メーカごとに、「化学物質の工程内不使用証明書」の提出を求め、その管理を行うことが必要となり、このための作業が煩雑であった。
【０００６】
このような、化学物質の使用管理についての先行技術が開示されている。この先行技術は、薬品の購入・使用・廃棄状況を一元管理する薬品管理システムであって、各種薬品の購入、消費履歴を管理する管理センターと、各種薬品のリスト及び管理された各薬品履歴を電子化して記録する薬品履歴情報記憶手段と、該薬品履歴情報記憶手段に記録された薬品リストから該当薬品を購入する複数の購入者と、管理センターからの指示により購入依頼薬品を販売する薬品販売業着と、薬品購入者側に設置され、薬品の使用状況を管理センターに届ける入力端末と、薬品排出者側に設置され、廃棄薬品の廃棄又は未使用薬品の処理を管理センターに依頼する入力端末と、管理センターからの依頼により廃棄薬品を処理する薬品処理業者を具備し、購入薬品から廃棄薬品までの薬品の管理を管理センターの薬品履歴情報記憶手段において一元処理するものである（例えば、特許文献１参照）。
【特許文献１】２００３―１８６９９８号公報
【発明の開示】
【発明が解決しようとする課題】
【０００７】
しかしながら、上記先行技術は、薬品の購入から廃棄までを管理センターにより一元管理することを主な目的とした発明であり、本発明が課題とする、製品購入メーカが製品製造メーカに「化学物質の工程内不使用証明書」を求める場合の手続きの効率化や、製品製造メーカや研究機関における化学薬品の使用状況の情報の集計や、原材料及び薬品メーカが製品製造メーカや研究機関の段階での在庫情報を把握するなどの課題を総合して解決することはできていない。
【０００８】
本発明はこのような問題を解決するためになされたもので、その目的は、製品購入メーカが製品製造メーカに「化学物質の工程内不使用証明書」などを求める場合の手続きを効率化し、製品製造メーカにおける化学薬品の使用状況の情報の集計や、原材料及び薬品メーカが製品製造メーカや研究機関における在庫量を把握することができる、化学物質管理システム、及び化学物質管理方法を提供することにある。
【課題を解決するための手段】
【０００９】
本発明は上記課題を解決するためになされたものであり、本発明の化学物質管理システムは化学物質を製造販売する原材料及び薬品メーカのサーバと、化学物質を購入して使用する製品製造メーカ及び研究機関の端末と、前記製品製造メーカから化学物質を使用した製品を購入する製品購入メーカの端末と、化学物質に関する情報の管理と認証を行う化学物質管理・認証機関の管理サーバとが通信ネットワークで接続されて構成される化学物質管理システムであって、前記化学物質を製造販売する原材料及び薬品メーカのサーバから、出荷した化学物質についての情報を前記化学物質管理・認証機関の管理サーバに送信する手段と、前記製品製造メーカ及び研究機関の端末から、当該製品製造メーカ及び研究機関で使用する化学物質についての購入及び使用状況の情報を前記化学物質管理・認証機関の管理サーバに送信する手段と、前記化学物質管理・認証機関の管理サーバが、前記原材料及び薬品メーカのサーバから受信した化学物質の出荷情報と、前記製品製造メーカ及び研究機関から受信した化学物質についての購入及び使用状況の情報を、化学物質管理ＤＢに登録する手段と、前記化学物質管理・認証機関の管理サーバが、前記化学物質管理ＤＢに登録した化学物質についての情報を集計する手段と、前記化学物質管理・認証機関の管理サーバが、前記化学物質についての集計結果の情報を、前記原材料及び薬品メーカのサーバと、前記製品製造メーカ及び研究機関の端末に提供する手段と、前記化学物質管理・認証機関の管理サーバが、前記製品購入メーカの端末から、製品製造メーカ名と化学物質の指定情報とを含む化学物質の工程内不使用証明書の発行要求を受信する手段と、前記化学物質管理・認証機関の管理サーバが、製品購入メーカからの化学物質の工程内不使用証明書の発行要求を基に、前記化学物質管理ＤＢを検索して、指定された製品製造メーカと指定化学物質についての化学物質の工程内不使用証明書を生成して送信する手段とを備えることを特徴とする。
このような構成であれば、化学物質を製造販売する原材料及び薬品メーカのサーバから、出荷した化学物質についての情報を化学物質管理・認証機関の管理サーバに送信し、製品製造メーカ及び研究機関の端末から、当該製品製造メーカ及び研究機関で使用する化学物質についての購入及び使用状況の情報を化学物質管理・認証機関の管理サーバに送信する。また、化学物質管理・認証機関の管理サーバは、原材料及び薬品メーカのサーバから受信した化学物質の出荷情報と、前記製品製造メーカ及び研究機関から受信した化学物質についての購入及び使用状況の情報を、化学物質管理ＤＢに登録する。また、化学物質管理・認証機関の管理サーバは、化学物質管理ＤＢに登録された情報を集計し、集計結果の情報を、原材料及び薬品メーカのサーバと、製品製造メーカ及び研究機関の端末に提供する。さらに、化学物質管理・認証機関の管理サーバは、製品購入メーカの端末から、製品製造メーカ名と化学物質の指定情報を含む「化学物質の工程内不使用証明書の発行要求」を受信し、化学物質管理ＤＢを検索して、指定された製品製造メーカと指定された化学物質についての「化学物質の工程内不使用証明書」を生成して送信する。
これにより、製品製造メーカや研究機関は、化学物質についての購入及び使用状況の情報を、化学物質管理・認証機関の化学物質管理ＤＢに登録し、化学物質の管理を化学物質管理・認証機関に委託することができる。また、原材料及び薬品メーカは、製品製造メーカや研究機関における原材料や化学薬品の使用量を把握でき、ＳＣＭ（サプライチェーンマネジメント）を達成することができる。また、製品購入メーカでは、「化学物質の工程内不使用証明」の提出を製品製造メーカごとに要求するのではなく、化学物質管理・認証機関を通じて依頼することにより、製品購入メーカ及び製品製造メーカ双方の「化学物質の工程内不使用証明」に関する煩雑な作業を軽減できる。また製品製造メーカでは「化学物質の工程内不使用証明」が化学物質管理・認証機関によって認証（保証）されることになる。
【００１０】
また、本発明の化学物質管理システムは、前記製品製造メーカ及び研究機関が前記化学物質管理・認証機関の化学物質管理ＤＢに登録する化学物質の情報が、化学物質名、購入量、使用量及び廃棄量の情報であり、前記化学物質管理・認証機関の管理サーバは、前記化学物質管理ＤＢに登録された情報を集計し、前記製品製造メーカ及び研究機関ごとに、また化学物質の種類ごとに在庫量を算出し、該在庫量の情報を前記製品製造メーカ及び研究機関に提供することを特徴とする。
このような構成であれば、製品製造メーカ及び研究機関は自身が使用する化学物質について、「化学物質名」、「購入量」、「使用量」、及び「廃棄量」の情報を化学物質管理・認証機関の化学物質管理ＤＢに登録する。化学物質管理・認証機関の管理サーバは、化学物質管理ＤＢに登録された情報を集計し、製品製造メーカ及び研究機関ごとに、また化学物質の種類ごとに在庫量を算出し、該在庫量の情報を前記製品製造メーカ及び研究機関に提供する。
これにより、製品製造メーカや研究機関は、化学物質についての、購入量・使用量・廃棄量などの情報を化学物質管理・認証機関が運営する化学物質管理ＤＢに登録するだけで、化学物質の在庫量の情報を入手でき、化学物質の管理作業を化学物質管理・認証機関に委託することができる。
【００１１】
また、本発明の化学物質管理方法は、化学物質を製造販売する原材料及び薬品メーカのサーバと、化学物質を購入して使用する製品製造メーカ及び研究機関の端末と、前記製品製造メーカから化学物質を使用した製品を購入する製品購入メーカの端末と、化学物質に関する情報の管理と認証を行う化学物質管理・認証機関の管理サーバとが通信ネットワークで接続されて構成される化学物質管理システムにおける化学物質管理方法であって、
前記化学物質を製造販売する原材料及び薬品メーカのサーバから、出荷した化学物質についての情報を前記化学物質管理・認証機関の管理サーバに送信する手順と、前記製品製造メーカ及び研究機関の端末から、当該製品製造メーカ及び研究機関で使用する化学物質についての購入及び使用状況の情報を前記化学物質管理・認証機関の管理サーバに送信する手順と、前記化学物質管理・認証機関の管理サーバが、前記原材料及び薬品メーカのサーバから受信した化学物質の出荷情報と、前記製品製造メーカ及び研究機関から受信した化学物質についての購入及び使用状況の情報を、化学物質管理ＤＢに登録する手順と、前記化学物質管理・認証機関の管理サーバが、前記化学物質管理ＤＢに登録した化学物質についての情報を集計する手順と、前記化学物質管理・認証機関の管理サーバが、前記化学物質についての集計結果の情報を、前記原材料及び薬品メーカのサーバと、前記製品製造メーカ及び研究機関の端末に提供する手順と、前記化学物質管理・認証機関の管理サーバが、前記製品購入メーカの端末から、製品製造メーカ名と化学物質の指定情報とを含む化学物質の工程内不使用証明書の発行要求を受信する手順と、前記化学物質管理・認証機関の管理サーバが、製品購入メーカからの化学物質の工程内不使用証明書の発行要求を基に、前記化学物質管理ＤＢを検索して、指定された製品製造メーカと指定化学物質についての化学物質の工程内不使用証明書を生成して送信する手順とを含むことを特徴とする。
このような手順であれば、化学物質を製造販売する原材料及び薬品メーカのサーバから、出荷した化学物質についての情報を化学物質管理・認証機関の管理サーバに送信し、製品製造メーカ及び研究機関の端末から、当該製品製造メーカ及び研究機関で使用する化学物質についての購入及び使用状況の情報を化学物質管理・認証機関の管理サーバに送信する。また、化学物質管理・認証機関の管理サーバは、原材料及び薬品メーカのサーバから受信した化学物質の出荷情報と、前記製品製造メーカ及び研究機関から受信した化学物質についての購入及び使用状況の情報を、化学物質管理ＤＢに登録する。また、化学物質管理・認証機関の管理サーバは、化学物質管理ＤＢに登録された情報を集計し、集計結果の情報を、原材料及び薬品メーカのサーバと、製品製造メーカ及び研究機関の端末に提供する。さらに、化学物質管理・認証機関の管理サーバは、製品購入メーカの端末から、製品製造メーカ名と化学物質の指定情報を含む「化学物質の工程内不使用証明書の発行要求」を受信し、化学物質管理ＤＢを検索して、指定された製品製造メーカと指定された化学物質についての「化学物質の工程内不使用証明書」を生成して送信する。
これにより、製品製造メーカや研究機関は、化学物質についての購入及び使用状況の情報を、化学物質管理・認証機関の化学物質管理ＤＢに登録し、化学物質の管理を化学物質管理・認証機関に委託することができる。また、原材料及び薬品メーカは、製品製造メーカや研究機関における原材料や化学薬品の使用量を把握でき、ＳＣＭ（サプライチェーンマネジメント）を達成することができる。また、製品購入メーカでは、「化学物質の工程内不使用証明」の提出を製品製造メーカごとに要求するのではなく、化学物質管理・認証機関を通じて依頼することにより、製品購入メーカ及び製品製造メーカ双方の「化学物質の工程内不使用証明」に関する煩雑な作業を軽減できる。また製品製造メーカでは「化学物質の工程内不使用証明」が化学物質管理・認証機関によって認証（保証）されることになる。
【発明を実施するための最良の形態】
【００１２】
次に本発明を実施するための最良の形態について図面を参照して説明する。
【００１３】
図１は、本発明による化学物質管理システムの基本構成と処理の流れを示す図である。図１において、化学物質管理システムは、化学物質管理・認証機関１００の管理サーバ１０１と、原材料及び薬品メーカ２００の薬品メーカサーバ２０１と、製品製造メーカ及び研究機関３００のＰＣ端末３１０と、製品購入メーカ４００のＰＣ端末４１０とがインターネットなどの通信ネットワーク１により通信接続して構成される。また、化学物質管理・認証機関１００の管理サーバ１０１は通信ネットワーク１上にＷｅｂページを公開し、製品製造メーカ３００のＰＣ端末３１０と、製品購入メーカ４００のＰＣ端末４１０は、このＷｅｂページを介して、管理サーバ１０１にアクセスする。なお、製品製造メーカ及び研究機関３００については、製品の製造と売買に関係する場合は研究機関を除外して製品製造メーカ３００と呼ぶことがある。
【００１４】
薬品メーカサーバ２０１では、販売（または出荷）した化学薬品や原材料（化学チップなど）などの化学物質を薬品メーカデータベース（薬品メーカＤＢ）２１０に登録すると共に、薬品メーカＤＢ２１０に登録した情報を、化学物質管理・認証機関１００の管理サーバ１０１に送信する（ステップＳ１０１）。
【００１５】
化学物質管理・認証機関１００の管理サーバ１０１では、原材料及び薬品メーカの２００のサーバ２０１から受信した化学物質に関する情報を化学物質管理データベース（化学物質管理ＤＢ）１３０に登録する。
【００１６】
また、製品製造メーカ及び研究機関３００では、購入した化学物質の情報、消費した化学物質の情報、有効期限が切れ廃棄した化学物質の情報などを、ＰＣ端末３１０に入力し、化学物質管理・認証機関１００の管理サーバ１０１に送信する（ステップＳ１０２）。化学物質管理・認証機関１００の管理サーバ１０１では、製品製造メーカのＰＣ端末３１０から受信した化学物質に関する情報を化学物質管理ＤＢ１３０に登録する。
【００１７】
製品製造メーカ及び研究機関３００では、化学物質管理・認証機関１００の管理サーバ１０１に登録した、自社についての化学物質の集計情報（例えば、在庫情報など）を取得することができる（ステップＳ１０３）。
【００１８】
また、製品購入メーカ４００では、購入した製品の製品製造メーカ３００が、自社が指定する使用禁止化学物質を使用していないかを確認するために、製品製造メーカ名と化学物質名を指定して「化学物質の工程内不使用証明書」の発行依頼を、ＰＣ端末４１０から化学物質管理・認証機関１００のサーバ１０１に送信する（ステップＳ１０４）。例えば、図５に示す「化学物質の工程内不使用証明書の発行依頼画面」の例のように、化学物質管理・認証機関１００の管理サーバ１０１が提供するＷｅｂページ上で、対象となる製品製造メーカと、化学物質の指定情報をＷｅｂページ上に入力して送信する。
【００１９】
化学物質管理・認証機関１００の管理サーバ１０１では、製品購入メーカ４００のＰＣ端末４１０から「化学物質の工程内不使用証明書」の発行依頼を受信すると、化学物質管理ＤＢ１３０を検索し、指定された製品製造メーカについての「化学物質の工程内不使用証明書」を発行して、製品購入メーカ４００のＰＣ端末４１０に送信する（ステップＳ１０５）。例えば、図６に示す「化学物質の工程内不使用証明書の画面」の例のように、対象となる製品製造メーカにおける、指定化学物質についての「化学物質の工程内不使用証明書」を製品購入メーカ４００のＰＣ端末４１０に送信する。
【００２０】
以上、説明したように、本発明の化学物質管理システムでは、製品製造メーカや研究機関３００は、化学薬品や化学原材料（化学チップなど）の化学物質について、例えば、使用原材料や化学薬品に付随するバーコードやＩＣタグを使用し、納入日・使用量・終了日・廃棄日などの情報を、Ｗｅｂを使用したネットワーク通じて、化学物質管理・認証機関１００が運営する化学物質管理ＤＢ１３０に登録する。そして、製品製造メーカや研究機関３００は、化学物質管理・認証機関１００のシステムを、Ｗｅｂを使用したネットワーク通じて自由に使用でき、必要情報の収集が低コストで容易に行える。
【００２１】
また、原料及び薬品メーカ２００は、製品製造メーカや研究機関３００の原材料や化学薬品の使用量を、化学物質管理・認証機関の化学物質管理ＤＢ１３０を活用して把握することができ、ＳＣＭ（サプライチェーンマネジメント）を達成することができる。
【００２２】
さらに製品購入メーカ４００では、「化学物質の工程内不使用証明」等の提出を製品製造メーカ３００ごとに要求するのではなく、化学物質管理・認証機関１００を通じて依頼することにより、製品購入メーカ４００及び製品製造メーカ３００の双方について、煩雑な証明書発行作業を軽減することができる。
【００２３】
また製品製造メーカ３００では化学物質の工程内不使用証明等が化学物質管理・認証機関によって保証されることになる。
【００２４】
また、図２は、化学物質管理・認証機関１００の化学物質管理ＤＢ１３０に記録されるデータの構成例を示す図であり、化学物質を使用する製品製造メーカ及び研究機関ごとに識別符号（ＩＤ）を与え、各製品製造メーカ及び研究機関ごとに、「登録化学物質」、「化学物質を製造したメーカ」、「購入量」、「使用量」、「廃棄量」、「在庫量」などの情報が登録されている。なお、在庫量の情報は、化学物質管理・認証機関１００の管理サーバ１０１が、「購入量」、「使用量」、「廃棄量」の情報から集計した情報である。
【００２５】
また、図３は、化学物質管理・認証機関１００の管理サーバ１０１の有する機能を示したものである。
化学物質情報の登録処機能１１１は、原材料及び薬品メーカ２００のサーバ２０１から、販売（または出荷）した原材料または薬品についての情報（例えば、「原材料及び薬品の種類」、「販売量」、「出荷日」など）を受信し、化学物質管理ＤＢ１３０に登録する。また、製品製造メーカ及び研究機関３００のＰＣ端末３１０から、製品製造メーカ及び研究機関３００が購入した化学物質の情報（例えば、化学物質の種類、購入量、使用量、廃棄量の情報）をＷｅｂページを介して受信し、各製品製造メーカ及び研究機関ごとに識別ＩＤを付して化学物質管理ＤＢ１３０に登録する。
【００２６】
また、化学物質情報の集計機能１１２は、化学物質管理ＤＢ１３０に登録した化学物質についての情報について、目的に応じた各種の集計処理を行う。例えば、各原材料及び薬品メーカ２００が販売(または出荷)した原材料や薬品などの化学物質について、製品製造メーカ及び研究機関３００の段階における在庫量の情報などを集計する。また、製品製造メーカ及び研究機関３００については、当該製品製造メーカ及び研究機関３００が登録した化学物質についての集計情報（例えば、購入した各化学物質の種類ごとの在庫情報など）を算出する。
【００２７】
化学物質の集計情報提供機能１１３は、化学物質情報の集計機能１１２で集計した各種の情報を提供する機能である。例えば、原材料及び薬品メーカ２００には、当該原材料及び薬品メーカ２００が販売(または出荷)した原材料や薬品などの化学物質について、製品製造メーカ及び研究機関３００の段階における在庫情報などを提供する。また、製品製造メーカ及び研究機関３００には、当該製品製造メーカ及び研究機関３００が登録した化学物質についての情報（例えば、各化学物質の種類ごとの在庫情報など）を提供する。
【００２８】
また、化学物質の工程内不使用証明書発行機能１１４は、製品購入メーカ４００から、対象となる製品製造メーカ名と化学物質の指定情報を含む「化学物質の工程内不使用証明書」の発行要求をＷｅｂページを介して受信し、当該製品製造メーカ３００につての「化学物質の工程内不使用証明書」を発行して製品購入メーカ４００のＰＣ端末４１０に送信する。
【００２９】
また、図４は、化学物質管理・認証機関１００内の管理サーバ１０１のサーバ構成例を示す図であり、管理サーバ１０１において、１０２は通信ネットワーク１と管理サーバ１０１を接続する通信用インタフェース、１０３はサーバ全体を統括制御する制御部、１２０は処理プログラム部、１３０は化学物質管理ＤＢを示している。
【００３０】
また、処理プログラム部１２０には、以下の処理部が含まれている。
化学物質情報の登録処理部１２１は、原材料及び薬品メーカ２００のサーバ２０１から、販売（または出荷）した原材料または薬品についての情報（例えば、「原材料及び薬品の種類」、「販売量」、「出荷日」など）を受信し、化学物質管理ＤＢ１３０に登録する。また、製品製造メーカ及び研究機関３００のＰＣ端末３１０から、製品製造メーカ及び研究機関３００が購入した化学物質の情報（例えば、化学物質の種類、購入量、使用量、廃棄量の情報）をＷｅｂページを介して受信し、各製品製造メーカ及び研究機関ごとに識別ＩＤを付して化学物質管理ＤＢ１３０に登録する。
【００３１】
また、化学物質情報の集計処理部１２２は、化学物質管理ＤＢ１３０に登録した化学物質についての情報について、目的に応じた各種の集計処理を行う。例えば、各原材料及び薬品メーカ２００が販売(または出荷)した原材料や薬品などの化学物質について、製品製造メーカ及び研究機関３００の段階における在庫量の情報などを集計する。また、製品製造メーカ及び研究機関３００については、当該製品製造メーカ及び研究機関３００が登録した化学物質についての集計情報（例えば、購入した各化学物質の種類ごとの在庫情報など）を算出する。
【００３２】
化学物質の集計情報提供処理部１２３は、化学物質情報の集計処理部１２２で集計した各種の情報を提供する機能である。例えば、原材料及び薬品メーカ２００には、当該原材料及び薬品メーカ２００が販売(または出荷)した原材料や薬品などの化学物質について、製品製造メーカ及び研究機関３００の段階における在庫情報などを提供する。また、製品製造メーカ及び研究機関３００には、当該製品製造メーカ及び研究機関３００が登録した化学物質についての情報（例えば、各化学物質の種類ごとの在庫情報など）を提供する。
【００３３】
また、化学物質の工程内不使用証明書発行処理部１２４は、製品購入メーカ４００から、対象となる製品製造メーカ名と化学物質の指定情報を含む「化学物質の工程内不使用証明書」の発行要求をＷｅｂページを介して受信し、当該製品製造メーカ３００につての「化学物質の工程内不使用証明書」を発行して製品購入メーカ４００のＰＣ端末４１０に送信する。
【００３４】
また、Ｗｅｂ管理処理部１２５は、管理サーバ１０１が通信ネットワーク１上にＷｅｂページを公開するための処理部であり、製品製造メーカ及び研究機関のＰＣ端末３１０、製品購入メーカのＰＣ端末４１０との情報の交換は、このＷｅｂページを介して行われる。
【００３５】
なお、この処理プログラム部１２０は専用のハードウエアにより実現されるものであってもよく、またこの処理プログラム部はメモリおよびＣＰＵ（中央処理装置）により構成され、この処理部の機能を実現するためのプログラム（図示せず）をメモリのロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００３６】
また、図４に示す管理サーバ１０１内の処理プログラム部１２０の機能を実現するためのプログラムをコンピュータ読み取り可能な記録媒体に記録して、この記録媒体に記録されたプログラムをコンピュータシステムに読み込ませ、実行することにより、図４に示す管理サーバ１０１内の処理プログラム部１２０に必要な処理を行ってもよい。なお、ここでいう「コンピュータシステム」とは、ＯＳや周辺機器等のハードウェアを含むものとする。
【００３７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００３８】
以上、本発明の実施の形態について説明したが、本発明の化学物質管理システムは、上述の図示例にのみ限定されるものではなく、本発明の要旨を逸脱しない範囲内において種々変更を加え得ることは勿論である。
【産業上の利用可能性】
【００３９】
本発明は、製品購入メーカが製品製造メーカに「化学物質の工程内不使用証明書」などを求める場合の手続きを効率化し、製品製造メーカ及び研究機関における化学薬品の使用状況の情報の集計や、原材料及び薬品メーカが製品製造メーカや研究機関における在庫を把握することができる効果を奏するので、本発明は、化学物質管理システム、及び化学物質管理方法に適用できる。
【図面の簡単な説明】
【００４０】
【図１】本発明による化学物質管理システムの基本構成と処理の流れを示す図。
【図２】化学物質ＤＢに記録されるデータの構成例を示す図。
【図３】化学物質管理・認証機関の管理サーバの有する機能を示す図。
【図４】管理サーバの構成例を示す図。
【図５】化学物質の工程内不使用証明書の発行依頼画面の例を示す図。
【図６】化学物質の工程内不使用証明書の画面の例を示す図。
【符号の説明】
【００４１】
１  通信ネットワーク
１００  化学物質管理・認証機関、１０１  化学物質管理・認証機関の管理サーバ
１１１  化学物質情報の登録機能、１１２  化学物質情報の集計機能
１１３  化学物質の集計情報提供機能
１１４  化学物質の工程内不使用証明書発行機能、１３０  化学物質管理ＤＢ
２００  原材料及び薬品メーカ、２０１原材料及び薬品メーカのサーバ
３００  製品製造メーカ及び研究機関
３１０  製品製造メーカ及び研究機関のＰＣ端末、４００  製品購入メーカ
４１０  製品購入メーカのＰＣ端末
【図１】
2005208806.tif 000003
【図２】
2005208806.tif 000004
【図３】
2005208806.tif 000005
【図４】
2005208806.tif 000006
【図５】
2005208806.tif 000007
【図６】
2005208806.tif 000008